(57)【特許請求の範囲】
【請求項１】
自動車内に取り付けられる飲み物容器用の保持装置であって、しゅう動案内により引き出し状に、押し込まれた位置から引き出された位置にしゅう動可能に案内されている往復台（１４）と、飲み物容器を収納する収納開口（１８）を有している保持体（１６）とを備えている形式のものにおいて、保持体（１６）が旋回継ぎ手（２０）により旋回可能に往復台（１４）に取り付けられており、保持体（１６）がほぼ９０°だけ側方に旋回可能に往復台（１４）に取り付けられていて、保持体（１６）は側方に旋回せしめられた位置においては往復台（１４）のほぼ側方に並んで位置しており、保持装置（１０）が往復台（１４）と保持体（１６）との間で作用する強制制御装置を有しており、この強制制御装置は保持体（１６）の旋回位置を往復台（１４）のしゅう動運動に関して定めることを特徴とする、飲み物用の保持装置。
【請求項２】
保持装置（１０）が開きばねエレメント（２２）を有しており、この開きばねエレメントは往復台（１４）を押し込まれた位置から引き出された位置に動かすことを特徴とする、請求項１記載の保持装置。
【請求項３】
開きばねエレメント（２２）が中間エレメント（２６，３２）に作用し、この中間エレメントはしゅう動案内により往復台（１４）のしゅう動方向にしゅう動可能に案内されており、中間エレメントには歯車（３４）がしゅう動方向に対して垂直の軸を中心として回転可能に取り付けられており、この歯車は、不動のラック（３６）と、かつこのラックと向き合って往復台に固定的に設けられたラック（３８）と、かみ合っており、その際両方のラック（３６，３８）はしゅう動方向に延びていることを特徴とする、請求項２記載の保持装置。
【請求項４】
保持体（１６）が、保持体（１６）内に収納される飲み物容器のための少なくとも１つの支持部（４６，４８）を有しており、その際支持部（４６，４８）は旋回可能に保持体（１６）に取り付けられており、支持部（４６，４８）は側方に突出する旋回軸（５０，５２）を有していて、この旋回軸を中心として支持部（４６，４８）が旋回可能であり、この旋回軸（５０，５２）はねじ山面（５４，５６）を有しており、かつ保持体（１６）にスライダ（６２）が取り付けられており、このスライダは旋回軸（５０，５２）のねじ山面（５４，５６）に沿って滑動して、支持部（４６，４８）を旋回させることを特徴とする、請求項１記載の保持装置。
【請求項５】
スライダ（６２）が制御エレメント（６４）を有しており、この制御エレメントは往復台（１４）の制御軌道（６６）内に係合しており、この制御軌道は保持体（１６）の旋回軸（２０）の回りを弧形に延びており、その際保持体（１６）の旋回軸（２０）からの制御軌道（６６）の間隔が制御軌道（６６）の長さに沿って変化していることを特徴とする、請求項４記載の保持装置。
【発明の詳細な説明】
【０００１】
【発明の属する技術分野】
本発明は、請求項１の上位概念の特徴を有している形式の、例えば自動車の計器盤内に取り付けられる、例えば飲み物缶、茶わんあるいはコップのような飲み物容器用の保持装置に関する。
【０００２】
【従来の技術】
このような保持装置は公知である。保持装置は往復台を有しており、この往復台はしゅう動案内により引き出し状に、押し込まれた位置から引き出された位置にしゅう動可能に案内されている。往復台自体あるいは往復台に取り付けられた保持体は普通は円形の収納開口を有しており、この収納開口内に、往復台が引き出された位置にある場合に、飲み物容器が収納可能である。押し込まれた位置においては、往復台又は保持体は有利には計器盤あるいは類似のものと１つの平面を形成する。
【０００３】
公知の保持装置の欠点は、保持装置が、引き出された位置において、その下方に取り付けられている操作エレメント又は表示エレメントを隠し、これによって操作エレメントへの接近又は表示エレメントの読み取りを妨害することである。変速レバーの操作の場合にも、保持体を有する往復台は、引き出された位置において、邪魔になることがある。
【０００４】
【発明が解決しようとする課題】
本発明の根底をなす課題は、最初に述べた形式の保持装置を、それがその下方に取り付けられている操作エレメント及び表示エレメントの操作及び読み取りを妨害しないか、あるいはほとんど妨害しないように、構成することである。
【０００５】
【課題を解決するための手段】
この課題は本発明によれば請求項１の特徴によって解決される。本発明による保持装置においては、飲み物容器のための保持体は旋回継ぎ手により旋回可能に往復台に取り付けられている。旋回継ぎ手の旋回軸線は往復台の側方範囲にある。旋回継ぎ手は、保持体の、側方に向かうほぼ９０°の旋回を可能にし、これにより保持体は往復台のほぼ側方に並んで位置せしめられる。往復台は、それが引き出された位置において計器盤あるいは類似のものからわずかにしか突出しないか、あるいは全く突出せず、これによって保持装置の下方に取り付けられている操作盤又は計器盤を隠すことがないように、構成することができる。保持体は側方に向かって、それが保持装置の下方に取り付けられている操作エレメント又は表示エレメントをやはり隠すことがないようになるまで、旋回する。
【０００６】
【発明の実施の形態】
有利な１実施形態では、本発明による保持装置は強制制御装置を有しており、この強制制御装置は往復台と保持体との間で作用し、保持体の旋回運動を往復台の移動から、かつ又は往復台の移動を保持体の旋回運動から、導出する。強制制御装置は保持体の特定の旋回角度を往復台の特定のしゅう動位置に強制的に従属させ、したがって保持体は往復台と無関係に、かつ往復台は保持体と無関係に、動かすことができない。強制制御装置は例えば滑子制御装置として構成して、例えば保持装置のケーシング内に取り付けられた不動の滑子軌道内に、保持体に取り付けられた滑子ピンが係合するようにすることができる。
【０００７】
本発明の１実施形態では、保持装置が開きばねエレメントを有しており、この開きばねエレメントは往復台を押し込まれた位置から引き出された位置に動かす。この実施形態の利点は、往復台が自動的に、引き出された位置に動くことである。押し込まれた位置においては、往復台は例えば解離可能な係止装置により、開きばねエレメントの力に抗して保持される。
【０００８】
本発明の別の実施形態では、保持装置は中間エレメントを有しており、この中間エレメントに開きばねエレメントが作用する。この中間エレメントはしゅう動案内により往復台のしゅう動方向にしゅう動可能に案内されており、要するに中間エレメントは、往復台の係止が解離されると、開きばねエレメントによりしゅう動せしめられる。中間エレメントには歯車が回転可能に取り付けられており、この歯車は、不動のラックと、かつこのラックと向き合って往復台に固定的に設けられたラックと、かみ合っている。両方のラックは往復台のしゅう動方向に延びていて、互いに平行に配置されており、その相互間隔は、両方のラックの間にある歯車が両方のラックとかみ合うように、選ばれている。中間エレメントに作用する開きばねエレメントにより中間エレメントがしゅう動せしめられることによって、歯車は中間エレメントのしゅう動距離だけしゅう動せしめられる。それは、歯車は不動のラックとかみ合って、回転せしめられるからである。歯車のしゅう動及び回転によって、往復台に固定的に設けられていてやはり歯車とかみ合っているラックは、中間エレメントの２倍の速度で２倍の距離だけしゅう動せしめられる。これにより本発明のこの実施形態は、往復台が、開きばねエレメントが作用する中間エレメントの２倍の距離だけしゅう動せしめられるようにする。本発明のこの実施形態の利点は、往復台の大きなしゅう動距離を可能にすることである。往復台の大きなしゅう動距離は、特に、往復台に旋回可能に取り付けられている保持体が往復台の引き出し方向で往復台の前方に位置している場合に、必要である。この場合往復台は、保持体が自動車の計器盤あるいは類似のものの完全に前方に位置して、保持体が側方にほぼ９０°だけ旋回可能になるまで、しゅう動させなければならない。
【０００９】
本発明の１実施形態では、保持体は、保持体内に収納される飲み物容器を下方又は側方から支えるための少なくとも１つの支持部を有しており、その際支持部は、使用しない場合に保持体に接触するように旋回させあるいは保持体内に旋回させ得るように、旋回可能に保持体に取り付けられている。この実施形態の利点は、保持装置を扁平に、ひいてはわずかな所要スペースで、構成し得ることである。支持部は側方に突出する旋回軸を有していて、この旋回軸を中心として支持部が旋回可能である。支持部を旋回させるために、旋回軸がねじ山面を有しており、このねじ山面に沿って、保持体の旋回の際に、スライダが滑動して、支持部を旋回させる。
【００１０】
本発明の別の実施形態では、スライダは制御エレメント、例えば制御ピンを有しており、この制御エレメントは往復台の制御軌道内に係合している。この制御軌道は保持体の旋回軸の回りを弧形に延びており、その際保持体の旋回軸からの制御軌道の間隔は制御軌道の長さに沿って変化している。保持体の旋回の際に、保持体の制御軌道内に係合している制御エレメントはスライダのしゅう動を生ぜしめ、スライダ自体はねじ山面を介して支持部を旋回させる。この形式で、支持部の旋回運動は保持体の旋回運動から導出される。
【００１１】
【実施例】
以下においては、図面に示した実施例により本発明の構成を詳細に説明する。
【００１２】
図１〜３に示した本発明による保持装置１０は、扁平な、箱形の、一方の端面が開いている複ケーシング１２を有しており、この複ケーシングは、自動車の図示していない計器盤内の取り付け開口内に取り付けられる。複ケーシング１２内には互いに並んでかつ互いに無関係に２つの往復台１３が引き出し状にしゅう動可能に案内されている。以下においては図面で右側の往復台１４によって本発明を説明する。左側の往復台は幾分か異なった構造を有している。往復台１４は箱形であって、その前面に開口を有しており、この開口内で保持体１６が旋回可能に取り付けられている。保持体１６は箱形構造部材として構成されていて、丸い穴を有しており、この穴は、例えば飲み物缶、茶わんあるいはコップのような図示していない飲み物容器を収納するための収納開口１８を形成している。保持体１６は、保持体及び往復台１４を貫通しているピン２０によって、旋回可能に往復台１４と結合されている。ピン２０は往復台１４の前縁に、外縁の近くで設けられている。保持体１６は側方に向かってほぼ９０°旋回可能であり、したがって保持体は、図１及び２に示した外方に旋回せしめられた位置においては、保持装置１０のほぼ側方に並んで、かつ往復台１４と並んで、位置している。保持体１６が、図３に示すように内方に旋回せしめられていると、保持体は往復台１４の前方に位置している。押し込まれた往復台１４は複ケーシング１２の完全に内部に位置している。往復台のしゅう動距離はしゅう動方向における複ケーシング１２の長さにほぼ等しい。なぜなら往復台１４は引き出された位置において、ピン２０及び保持体１６が複ケーシングの前方に位置するように、複ケーシング１２から突出しているからである。
【００１３】
以下においては本発明による保持装置１０の構造及び機能を図４及び５によって説明する。図４及び５においては、複ケーシング１２、往復台１４及び保持体１６の上側部分が取り外されており、したがって保持装置１０のメカニズムを見ることができる。往復台１４を、引き出された位置に動かすために、保持装置１０は開きばねエレメントを有している。この開きばねエレメントはスクロールばね２２として構成されている。スクロールばね２２は、その弾性によって自動的に巻き取られる板ばねである。要するにスクロールばね２２は引きばねである。スクロールばね２２の引き出された端部２３は複ケーシング１２の底に固定されている。スクロールばね２２の巻き体はローラ２４に巻き取られており、ローラ２４は軸を中心にして回転可能に中間エレメント２６に支承されている。中間エレメント２６は往復台１４のしゅう動方向でしゅう動可能に複ケーシング１２内に設けられている。中間エレメント内には自体公知の回転ダンパエレメント２８が走入されており、この回転ダンパエレメントの歯車は複ケーシングに固定したラック３０とかみ合っている。回転ダンパエレメント２８は中間エレメント２６のしゅう動運動ひいては往復台１４のしゅう動運動を緩和する。スクロールばね２２は中間エレメント２６を複ケーシング１２内で前方に向かって引く。
【００１４】
中間エレメント２６はアーム３２を有しており、その自由端部に歯車３４が回転可能に支承されている。この歯車３４は複ケーシング１２と一体のラック３６と、かみ合っている。逆の側では歯車３４は、往復台１４と一体で往復台に不動に固定されているラック３８とかみ合っている。歯車３４は中間エレメント２６のしゅう動を２倍に変換し、したがって往復台１４は中間エレメント２６の２倍の距離をしゅう動せしめられる。
【００１５】
図３に示した押し込まれた位置においては、往復台１４は自体公知のプッシュプッシュ型係止装置あるいはハート形カム型係止装置４０によってスクロールばね２２の力に抗して保持される。係止装置４０は保持体１６の前側を少し押し込むことによって解離可能である。
【００１６】
保持体１６は図面には示されていないねじりばねエレメントにより側方に旋回せしめられる。このねじりばねエレメントは保持体１６の旋回中心軸であるピン２０に差しはめられていて、往復台１４に支えられており、保持体１６に作用している。複ケーシング１２の底及びカバーには滑子軌道４２が形成されており、この滑子軌道内に保持体１６の滑子ピン４４が係合している。滑子軌道４２は複ケーシング１２の後方範囲内で往復台１４のしゅう動方向に複ケーシング１２の外縁の近くを延びている。前方の範囲内では滑子軌道４２は斜めに湾曲して延びている。滑子軌道４２と滑子ピン４４とは保持体１６及び往復台１４の強制制御装置（４２，４４）を構成している。保持体１６の滑子ピン４４が滑子軌道の、往復台１４のしゅう動方向に延びる後方の部分内に位置している限り、滑子軌道４２は保持体１６の旋回を阻止する。滑子ピン４４が滑子軌道４２の、斜めに湾曲して延びている前方の範囲内に達したときに初めて、保持体１６は旋回することができる。この場合往復台１４のしゅう動位置及び保持体１６の旋回位置は互いに関連しており、保持体１６の旋回位置は往復台１４のしゅう動位置によって定められている。強制制御装置（４２，４４）は、保持体１６が既に複ケーシング１２内で旋回することを阻止し、往復台１４が複ケーシング１２から引き出されて、保持体１６が複ケーシング１２の前方に位置するときに初めて、保持体１６の旋回を可能ならしめる。
【００１７】
保持体１６内にはほぼＵ形の２つの部材が旋回可能に支承されており、これらの部材は保持体１６内に収納される飲み物容器のための支持部４６，４８を形成する。一方の支持部４６は上方に向かって、かつ他方の支持部４８は下方に向かって、旋回可能である。下方の支持部４８は保持体１６内に収納された飲み物容器を下から支えるのに役立ち、上方の支持部４６は飲み物容器の外周を側方から支える。両方の支持部４６，４８は側方に突出する旋回軸５０，５２を有しており、これらの旋回軸を中心にして支持部４６，４８が旋回可能である。旋回軸５０，５２は互いに平行に間隔をおいて保持体１６内に回動可能に設けられている。旋回軸５０，５２からは、ねじ山形に延びるリブ５４，５６が突出している。これらのリブ５４，５６は側面（ねじ山面）をもって突起５８，６０に接触しており、これらの突起はスライダ６２の両側において突出している。スライダ６２は旋回軸５０，５２に対して平行にしゅう動可能に保持体１６内に支承されている。スライダ６２のしゅう動によってその突起５８．６２は支持部４６，４８の旋回軸５０，５２のねじ山形に延びるリブ５４，５６に沿って滑動し、これによって支持部４６，４８を保持体１６内に偏平に旋回させる。逆方向では支持部４６，４８は自体公知の形式で図面には示されていないねじりばねエレメントにより旋回せしめられる。
【００１８】
スライダ６２は上方及び下方に向かって突出している制御ピン６４を有しており、これらの制御ピンは保持体１６を貫通して、往復台１４の制御カム６６内にしゅう動可能に係合している。制御カム６６は、保持体１６の旋回中心ピンであるピン２０の回りに弧形に延びている。しかしながら制御カム６６の中心点はピン２０から離れて位置しており、したがって制御カム６６と保持体１６の旋回中心ピンであるピン２０との間隔は制御カム６６の長さに沿って変化している。制御カム６６と保持体１６の旋回中心ピンであるピン２０との間隔のこの変化によって、保持体１６が往復台１４において旋回せしめられるときに、制御カム６６内に係合している保持体１６内のスライダ６２の制御ピン６４がしゅう動せしめられる。スライダ６２はそのしゅう動によって、支持部４６，４８を上述のように旋回させる。
【図面の簡単な説明】
【図１】本発明による保持装置を斜め下方から見た斜視図である。
【図２】図１の保持装置を斜め上方から見た斜視図である。
【図３】図２の保持装置を閉じた状態で示した図である。
【図４】図１〜３の保持装置を、上方部分を取り外して示した図である。
【図５】図４の保持装置の斜視図である。
【符号の説明】
１０  保持装置、  １２  複ケーシング、  １４  往復台、  １６  保持体、  １８  収納開口、  ２０  ピン、  ２２  スクロールばね、  ２３  端部、  ２４  ローラ、  ２６  中間エレメント、  ２８  回転ダンパエレメント、  ３０ラック、  ３２  アーム、  ３４  歯車、  ３６  ラック、  ３８  ラック、４０  係止装置、  ４２  滑子軌道、  ４４  滑子ピン、  ４６  支持部、  ４８  支持部、  ５０  旋回軸、  ５２  旋回軸、  ５４  リブ、  ５６  リブ、  ５８  突起、  ６０  突起、  ６２  スライダ、  ６４  制御ピン、  ６６制御カム
【図１】
0003646051.tif 000002
【図２】
0003646051.tif 000003
【図３】
0003646051.tif 000004
【図４】
0003646051.tif 000005
【図５】
0003646051.tif 000006